(57)【特許請求の範囲】
【請求項１】
カメラ（１１）を有する玄関子機（１）と、前記玄関子機からの呼び出しに応答して通話を成立させるとともに前記カメラにて撮像された映像信号を出画するための親機モニタ（２１）を有する居室親機（２）と、前記玄関子機からの呼び出しに応答して通話を成立させるための携帯端末（３ａ、３ｂ、３ｃ）と、前記居室親機及び前記携帯端末の間で行われるデータ通信を制御するためのＩＦ−ＢＯＸ（４）とを有するインターホンシステムにおいて、
前記ＩＦ−ＢＯＸは、前記玄関子機から前記携帯端末への呼び出しを制御するためのＳＩＰサーバ（４０）と、前記玄関子機から伝送されてくる映像信号を保存するためのＷＥＢサーバ（４１）と、前記ＳＩＰサーバ及び前記ＷＥＢサーバを制御するための制御サーバ（４２）とを備え、
前記携帯端末は、前記玄関子機からの呼び出しを検出したとき、自携帯端末に割り当てられたアドレスを前記ＩＦ−ＢＯＸに送信するためのアドレス送信手段（３６ａ）と、前記ＩＦ−ＢＯＸのＷＥＢサーバに保存された映像信号を読み出し、自携帯端末の端末モニタ（３１）に出画させるための映像要求信号を生成する映像要求手段（３６ｂ）とを備え、
前記ＩＦ−ＢＯＸの制御サーバは、前記携帯端末のアドレスを予め記憶するための第１の記憶手段（４２ａ）と、前記携帯端末から前記ＷＥＢサーバに送信されてくる前記映像要求信号に付加されたアドレスと前記第１の記憶手段に記憶されたアドレスを比較し、一致を検出したアドレスに割り当てられる当該携帯端末にのみ前記ＷＥＢサーバから読み出した映像信号を送信するための映像送信手段（４２ｃ）とを有し、
前記携帯端末の映像要求手段から前記ＩＦ−ＢＯＸのＷＥＢサーバへの映像要求信号は、当該携帯端末で前記玄関子機からの呼び出しを報知した後の定期的なタイミングで送信されることを特徴とするインターホンシステム。
【請求項２】
前記ＩＦ−ＢＯＸの制御サーバは、前記携帯端末からＷＥＢサーバに送信されてくる前記映像要求信号に付加されたアドレスを記憶するための第２の記憶手段（４２ｂ）と、前記第２の記憶手段に前記アドレスが記憶されたときを始期として通話時間である一定時間の計時を開始するための第１の計時手段（４２ｄ）と、前記携帯端末の端末モニタにて前記映像信号の出画時において当該携帯端末による終話操作又は前記第１の計時手段による前記通話時間のタイムアップを検出したとき、前記第２の記憶手段に記憶されたアドレスを消去するための第１の消去手段（４２ｆ）とを有することを特徴とする請求項１記載のインターホンシステム。
【発明の詳細な説明】
【技術分野】
【０００１】
本発明は、インターホンシステムに係り、特に、玄関子機のカメラにて撮像される映像信号をＩＦ−ＢＯＸのＷＥＢサーバに保存するにあたり、この映像信号を携帯端末からの要求で読み出して当該端末のモニタに出画することができるインターホンシステムに関する。
【背景技術】
【０００２】
従来から、ホームページ提供者のサーバーに負荷をかけず、コンテンツ作成等の際に少ない労力で、ホームページ中の映像データにインターネット等を介して次次にアクセスし、閲覧可能にする自動表示装置および自動表示制御方法が開示されている（例えば、特許文献１を参照。）
【先行技術文献】
【特許文献】
【０００３】
【特許文献１】特開平１１−２９６５３６号公報
【発明の概要】
【発明が解決しようとする課題】
【０００４】
背景技術に記載された特許文献１のアクセス手段によれば、ネットワークを介してＷＷＷサーバにアクセスし、閲覧したい映像情報に関するホームページをダウンロードすることで表示部に表示できるものの、何らのアクセス制限手段が設けられていない。
【０００５】
そこで、特許文献１のアクセス手段を、玄関子機からの呼び出しを居室親機及び携帯端末にて報知し、映像情報として玄関子機のカメラにて撮像される映像信号を適用するにあたっては、この映像信号が所定のＵＲＬアドレスに割り当てられてＩＦ−ＢＯＸのＷＥＢサーバに保存されている場合、玄関子機から携帯端末への呼び出しを制御するためにＩＦ−ＢＯＸに備えられるＳＩＰサーバと前述のＷＥＢサーバとは、通常、別途に設けられることから、ＳＩＰサーバがどの携帯端末を呼び出しているのかをＷＥＢサーバが知り得ないため、呼出報知が行われた携帯端末以外の端末等からＷＥＢサーバへアクセスすることで映像信号を不正に取得できる虞があった。
【０００６】
本発明は、この難点を解消するためになされたもので、玄関子機のカメラにて撮像される映像信号をＩＦ−ＢＯＸのＷＥＢサーバに保存するにあたり、この映像信号を出画することが可能な携帯端末からの不正な取得を防止したインターホンシステムを提供することを目的としている。
【課題を解決するための手段】
【０００７】
前述の目的を達成するため、本発明の第１の態様であるインターホンシステムは、カメラを有する玄関子機と、玄関子機からの呼び出しに応答して通話を成立させるとともにカメラにて撮像された映像信号を出画するための親機モニタを有する居室親機と、玄関子機からの呼び出しに応答して通話を成立させるための携帯端末と、居室親機及び携帯端末の間で行われるデータ通信を制御するためのＩＦ−ＢＯＸとを有するインターホンシステムにおいて、ＩＦ−ＢＯＸは、玄関子機から携帯端末への呼び出しを制御するためのＳＩＰサーバと、玄関子機から伝送されてくる映像信号を保存するためのＷＥＢサーバと、ＳＩＰサーバ及びＷＥＢサーバを制御するための制御サーバとを備えている。携帯端末は、玄関子機からの呼び出しを検出したとき、自携帯端末に割り当てられたアドレスをＩＦ−ＢＯＸに送信するためのアドレス送信手段と、ＩＦ−ＢＯＸのＷＥＢサーバに保存された映像信号を読み出し、自携帯端末の端末モニタに出画させるための映像要求信号を生成する映像要求手段とを備えている。ＩＦ−ＢＯＸの制御サーバは、携帯端末のアドレスを予め記憶するための第１の記憶手段と、携帯端末からＷＥＢサーバに送信されてくる映像要求信号に付加されたアドレスと第１の記憶手段に記憶されたアドレスを比較し、一致を検出したアドレスに割り当てられる当該携帯端末にのみＷＥＢサーバから読み出した映像信号を送信するための映像送信手段とを有するものである。携帯端末の映像要求手段からＩＦ−ＢＯＸのＷＥＢサーバへの映像要求信号は、当該携帯端末で玄関子機からの呼び出しを報知した後の定期的なタイミングで送信されるものである。
【０００８】
また、本発明の第２の態様であるインターホンシステムは、本発明の第１の態様において、ＩＦ−ＢＯＸの制御サーバは、携帯端末からＷＥＢサーバに送信されてくる映像要求信号に付加されたアドレスを記憶するための第２の記憶手段と、第２の記憶手段にアドレスが記憶されたときを始期として通話時間である一定時間の計時を開始するための第１の計時手段と、携帯端末の端末モニタにて映像信号の出画時において当該携帯端末による終話操作又は第１の計時手段による通話時間のタイムアップを検出したとき、第２の記憶手段に記憶されたアドレスを消去するための第１の消去手段とを有するものである。
【発明の効果】
【０００９】
本発明のインターホンシステムによれば、玄関子機からの呼び出しを居室親機及び携帯端末にて報知するにあたり、玄関子機のカメラにて撮像された映像信号は、居室親機を経由してＩＦ−ＢＯＸのＷＥＢサーバに保存され、このＷＥＢサーバを制御する制御サーバは、第１の記憶手段に予め記憶されている携帯端末のアドレスと呼出報知が行われた携帯端末からＷＥＢサーバに送信されてくる映像要求信号に付加されたアドレスとを比較し、当該アドレスが一致した携帯端末にのみＷＥＢサーバから読み出した映像信号を送信して端末モニタに出画させることができる。これにより、予め設定された所定の携帯端末以外の当該端末による映像信号の不正な取得を防止することができる。
【００１０】
また、本発明のインターホンシステムによれば、ＩＦ−ＢＯＸのＷＥＢサーバから読み出して携帯端末に出画させる映像信号の要求タイミングが定期的なタイミングであるため、例えば、携帯端末の個体差に基づき映像処理の能力が異なる場合であっても、当該携帯端末に負荷をかけることなく、端末モニタへの映像信号の出画が可能となる。
【００１１】
また、本発明のインターホンシステムによれば、終話操作や通話時間のタイムアップ等で映像要求の期限を過ぎた携帯端末への映像信号の送信を防止することができる。
【００１２】
さらに、本発明のインターホンシステムによれば、呼出中や通話中において何らかの事由でデータ通信が途絶えた携帯端末への映像信号の送信を防止することができる。
【図面の簡単な説明】
【００１３】
【図１】図１は、本発明の実施例によるインターホンシステムの全体構成を示すシステム説明図である。
【図２】図２（Ａ）、（Ｂ）はそれぞれ、本発明の実施例によるインターホンシステムおいて、携帯端末及びＩＦ−ＢＯＸの具体的な構成を示すブロック図である。
【図３】図３は、本発明の実施例によるインターホンシステムおいて、具体的な動作を説明するための通信シーケンス図である。
【発明を実施するための最良の形態】
【００１４】
以下、本発明のインターホンシステムを適用した最良の実施の形態例について、図面を参照して説明する。
【００１５】
図１は、本発明の実施例によるインターホンシステムの全体構成を示すシステム説明図である。このインターホンシステムは、住戸玄関等の住戸外に設置される玄関子機１と、住戸内に設置され、子機／親機ラインＬ1を経由して接続される玄関子機１からの呼び出しを報知し、当該呼び出しに応答して通話を成立させるための居室親機２と、玄関子機１からの呼び出しに応答して通話を成立させるための携帯端末３ａ、３ｂ、３ｃと、親機／ＢＯＸラインＬ2を経由して居室親機２に接続され、居室親機２及び携帯端末３ａ、３ｂ、３ｃの間で行われるデータ通信を制御するためのＩＦ−ＢＯＸ４と、ＢＯＸ／ルータラインＬ3を経由してＩＦ−ＢＯＸ４に接続され、携帯端末３ａ、３ｂ、３ｃ及びＩＦ−ＢＯＸ４の間のデータ通信を無線又は有線で行うためのルータ５とを有している。なお、ルータ５は、住戸内に設置されるＰＣ端末６やインターネット７が接続可能なものとする。
【００１６】
また、玄関子機１には、子機操作部１０、カメラ１１、子機マイク１２及び子機スピーカ１３が備えられている。
【００１７】
この玄関子機１において、子機操作部１０は、居室親機２又は携帯端末３ａ、３ｂ、３ｃの使用者である住戸内に在室中の居住者を呼び出すにあたり、住戸外に居る来訪者が所定の呼出操作を行うものであって、例えば、呼出ボタンにて構成されている。また、カメラ１１は、呼出操作を行った来訪者の映像信号や住戸玄関の周囲近傍の映像信号を撮像するためのものであり、例えば、ＣＣＤ、ＣＭＯＳ等の各種の映像撮像媒体にて構成されている。さらに、子機マイク１２及び子機スピーカ１３は、来訪者が前述の居住者との間で通話を成立させるにあたり、音声（送話音声、受話音声）信号を入出力するためのものである。
【００１８】
また、居室親機２には、親機操作部２０、親機モニタ２１、親機マイク２２及び親機スピーカ２３が備えられている。
【００１９】
この居室親機２において、親機操作部２０は、来訪者による玄関子機１からの呼び出しに応答するにあたり、住戸内に在室中の居住者が所定の応答操作を行うとともに、成立中の通話を終了するための所定の終話操作を行うものであって、例えば、通話ボタンにて構成されている。また、親機モニタ２１は、玄関子機１のカメラ１１にて撮像された映像信号を出画するためのものであって、例えば、ＬＣＤ、有機ＥＬディスプレイ等の各種の映像出画媒体にて構成されており、この親機モニタ２１には、来訪者による玄関子機１からの呼び出しを報知するための文字メッセージを表示することもできる。さらに、親機マイク２２及び親機スピーカ２３は、居住者が来訪者との間で通話を成立させるにあたり、音声（送話音声、受話音声）信号を入出力するためのものであって、この親機スピーカ２３は、来訪者による玄関子機１からの呼び出しを報知するための呼出音や音声メッセージを出力することもできる。
【００２０】
さらに、携帯端末３ａ、３ｂ、３ｃはそれぞれ同様な構成で住戸内に在室中の居住者により携行されるものであって、個別のアドレス（ＩＰアドレスと同意とする。）が割り当てられており、端末操作部３０、端末モニタ３１、端末マイク３２及び端末スピーカ３３が備えられている。
【００２１】
この携帯端末３ａ、３ｂ、３ｃにおいて、端末操作部２０は、来訪者による玄関子機１からの呼び出しに応答するにあたり、当該携帯端末を携行する居住者が所定の応答操作を行うとともに、成立中の通話を終了するための所定の終話操作を行うものであって、例えば、通話ボタンやテンキーボタンにて構成されている。また、端末モニタ３１は、玄関子機１のカメラ１１にて撮像され、ＩＦ−ＢＯＸ４の後述するＷＥＢサーバ４１に保存される映像信号を出画するためのものであって、例えば、ＬＣＤ、有機ＥＬディスプレイ等の各種の映像出画媒体にて構成されており、この端末モニタ３１には、来訪者による玄関子機１からの呼び出しを報知するための文字メッセージを表示することもできる。さらに、端末マイク３２及び端末スピーカ３３は、当該携帯端末を携行する居住者が来訪者との間で通話を成立させるにあたり、音声（送話音声、受話音声）信号を入出力するためのものであって、この端末スピーカ３３は、来訪者による玄関子機１からの呼び出しを報知するための呼出音や音声メッセージを出力することもできる。
【００２２】
次に、携帯端末３ａ、３ｂ、３ｃの具体的な構成について、図２（Ａ）のブロック図を参照して説明する。この携帯端末３ａ、３ｂ、３ｃは、前述の端末操作部３０、端末モニタ３１、端末マイク３２及び端末スピーカ３３と、端末映像処理部３４と、端末音声処理部３５と、端末制御部３６と、端末インターフェース（以下、同様なインターフェースについては、「Ｉ／Ｆ」という。）３７とが備えられている。
【００２３】
ここで、端末映像処理部３４は、ＩＦ−ＢＯＸ４の後述するＷＥＢサーバ４１から読み出され、ルータ５を経由して送信されてくる映像信号について所定の信号処理を行い、端末モニタ３１に出画させるためのものである。また、端末音声処理部３５は、端末マイク３２及び端末スピーカ３３にて入出力される音声（送話音声、受話音声）信号について所定の信号処理を行うためのものである。また、端末制御部３６は、当該携帯端末の構成各部を制御するためのものであり、具体的には、玄関子機１からの呼び出しを検出したとき、自携帯端末に割り当てられたアドレスを、ルータ５を経由してＩＦ−ＢＯＸ４に送信するためのアドレス送信回路３６ａと、ＩＦ−ＢＯＸ４の後述するＷＥＢサーバ４１に保存された映像信号を定期的、例えば、１秒毎のタイミングで読み出し、自携帯端末の端末モニタ３１に出画させるための映像要求信号を生成する映像要求回路３６ｂとが備えられている。さらに、端末Ｉ／Ｆ３７は、ルータ５から端末映像処理部３４への信号伝送路と、ルータ５及び端末音声処理部３５の間の信号伝送路と、ルータ５及び端末制御部３６の間の信号伝送路とをそれぞれ形成するためのものである。
【００２４】
次に、ＩＦ―ＢＯＸ４の具体的な構成について、図２（Ｂ）のブロック図を参照して説明する。このＩＦ−ＢＯＸ４には、玄関子機１から携帯端末３への呼び出しを制御するためのＳＩＰサーバ４０と、玄関子機１から居室親機２を経由して送信されてくる映像信号を保存するためのＷＥＢサーバ４１と、ＳＩＰサーバ４０及びＷＥＢサーバ４１を制御するための制御サーバ４２と、親機側ＢＯＸＩ／Ｆ４３と、ルータ側ＢＯＸＩ／Ｆ４４とが備えられている。
【００２５】
ここで、制御サーバ４２には、携帯端末３ａ、３ｂ、３ｃのアドレスを予め記憶するための第１の記憶回路４２ａと、携帯端末３ａ、３ｂ、３ｃからルータ５を経由してＷＥＢサーバ４１に送信されてくる映像要求信号に付加されたアドレスを記憶するための第２の記憶回路４２ｂと、携帯端末３ａ、３ｂ、３ｃからルータ５を経由してＷＥＢサーバ４１に送信されてくる映像要求信号に付加されたアドレスと第１の記憶回路４２ａに記憶されたアドレスとを比較し、一致を検出したアドレスに割り当てられる当該携帯端末にのみＷＥＢサーバ４１から読み出した映像信号を送信するための映像送信回路４２ｃと、第２の記憶回路４２ｂに前述のアドレスが記憶されたときを始期として後述する一定時間の計時を開始するための第１、第２の各計時回路４２ｄ、４２ｅと、携帯端末３ａ、３ｂ、３ｃ、・・・の端末モニタ３１にて映像信号の出画時において、当該携帯端末の端末操作部３０による終話操作又は第１の計時回路４２ｄによるタイムアップを検出したとき、第２の記憶回路４２ｂに記憶されたアドレスを消去するための第１の消去回路４２ｆと、第２の計時回路４２ｅによるタイムアップ前において携帯端末３ａ、３ｂ、３ｃからの映像要求信号がＷＥＢサーバ４１にて受信されなかったとき、第２の記憶回路４２ｂに記憶されたアドレスを消去するための第２の消去回路４２ｇとを有している。なお、第１、第２の各記憶回路４２ａ、４２ｂは、例えば、ＲＡＭ、ＥＥＰＲＯＭにて構成されている。
【００２６】
また、親機側Ｉ／Ｆ４３は、親機／ＢＯＸラインＬ2及び制御サーバ４２の間のデータ伝送路を形成するためのものである。さらに、ルータ側Ｉ／Ｆ４４は、ＢＯＸ／ルータラインＬ3及びＷＥＢサーバ４１、制御サーバ４２の間の信号伝送路を形成するためのものである。
【００２７】
このように構成された本発明の実施例によるインターホンシステムにおいて、以下、具体的な動作について、図３の通信シーケンス図を参照して説明する。なお、当該実施例において、ＩＦ−ＢＯＸ４の第１の記憶回路４２ａには、携帯端末３ａ、３ｂ、３ｃのうち、携帯端末３ａ、３ｂのアドレスが予め記憶されているものとし、他の携帯端末３ｃ及びＰＣ端末６のアドレスについては記憶されていないものとする。
【００２８】
図１において、住戸外に居る来訪者が玄関子機１の子機操作部１０を使用して所定の呼出操作を行うと、子機／親機ラインＬ1を経由して居室親機２に呼出信号が送信される。この呼出信号が受信された居室親機２は、来訪者による玄関子機１からの呼び出しがあることを検出し、その旨の呼出音や音声メッセージを親機スピーカ２３から出力するとともに、玄関子機１のカメラ１１による映像信号の撮像を開始させ、この映像信号を親機モニタ２１に出画することができ、この親機モニタ２１には、来訪者による玄関子機１からの呼び出しがある旨の文字メッセージを表示することもできる。また、居室親機２は、玄関子機１からの呼出信号及び映像信号を、親機／ＢＯＸラインＬ2、図２（Ｂ）に示すＩＦ−ＢＯＸ４の親機側ＢＯＸＩ／Ｆ４３を経由して制御サーバ４２に送信する。
【００２９】
ここで、ＩＦ−ＢＯＸ４の制御サーバ４２は、玄関子機１から居室親機２を経由して送信されてきた呼出信号及び映像信号のうち、呼出信号についてＳＩＰサーバ４０にてＳＩＰ呼出信号に変換する信号処理を行い、第１の記憶回路４２ａに予め記憶されているアドレスを付加した後、ルータ側ＢＯＸＩ／Ｆ４４、ＢＯＸ／ルータラインＬ3、ルータ５、図２（Ａ）に示す携帯端末３ａ、３ｂ、３ｃ、・・・の端末Ｉ／Ｆ３７を経由して端末制御部３６に送信するとともに、映像信号については、所定のＵＲＬアドレスに割り当ててＷＥＢサーバ４１に定期的なタイミング、例えば、１秒毎に保存する。これにより、ＷＥＢサーバ４１には、玄関子機１のカメラ１１にて撮像された映像信号について、例えば、フレーム毎でコマ落ちがない連続した当該映像信号で保存することができる。
【００３０】
携帯端末３ａ、３ｂ、３ｃの端末制御部３６は、ＩＦ−ＢＯＸ４からルータ５を経由して送信されてきたＳＩＰ呼出信号を受信すると、このＳＩＰ呼出信号に付加されているアドレスと自端末に予め割り当てられているアドレスとを比較し、当該アドレスが一致した場合にのみ、来訪者による玄関子機１からの呼び出しがあることを検出し、その旨の呼出音や音声メッセージを端末スピーカ３３から出力するとともに、同様な旨の文字メッセージを端末モニタ３１に表示することもでき、さらには、自携帯端末に割り当てられているアドレス（以下、アドレスデータ信号という。）をアドレス送信回路３６にて生成させる。このアドレスデータ信号は、前述のＳＩＰ呼出信号と逆の信号伝送路を経由してＩＦ−ＢＯＸ４の制御サーバ４２に送信される。
【００３１】
すなわち、当該実施例においては、携帯端末３ａ、３ｂ、３ｃの端末制御部３６のうち、携帯端末３ａ、３ｂの端末制御部３６のみ当該アドレスが一致し、前述の呼出報知の動作が行われるとともに、アドレス送信回路３６ａからのアドレスデータ信号の送信動作が行われることになる。
【００３２】
また、前述のような呼出報知の動作が行われた携帯端末３ａ、３ｂの端末制御部３６はそれぞれ、ＩＦ−ＢＯＸ４のＷＥＢサーバ４１にて（定期的なタイミングで）保存されている映像信号を読み出し、端末モニタ３１に出画させるためのＳＩＰ映像要求信号を定期的なタイミング、例えば、１秒毎のタイミングで映像要求回路３６ｂにて生成させる。このＳＩＰ映像要求信号には、自携帯端末に割り当てられたアドレスが付加されており、端末Ｉ／Ｆ３７、ルータ５、ＢＯＸ／ルータラインＬ3、ＩＦ−ＢＯＸ４のルータ側ＢＯＸＩ／Ｆ４４を経由してＷＥＢサーバ４１に送信される。
【００３３】
次に、ＩＦ−ＢＯＸ４のＷＥＢサーバ４１は、携帯端末３ａ、３ｂからルータ５を経由して（定期的なタイミングで）送信されてきたＳＩＰ映像要求信号を受信すると、このＳＩＰ映像要求信号に付加されたアドレスデータを制御サーバ４２の第２の記憶回路４２ｂに保存させるとともに、この制御サーバ４２は、第２の記憶回路４２ｂへの保存のタイミングを始期として一定時間、例えば、３分の計時を第１の計時回路４２ｄにて開始させる。また、ＷＥＢサーバ４１は、同様に携帯端末３ａ、３ｂから送信されてきたＳＩＰ映像要求信号に付加されているアドレスデータと第１の記憶回路４２ａに予め記憶されたアドレスとを比較するように制御サーバ４２を制御し、この制御サーバ４２は、当該アドレスが一致した場合にのみ、ＷＥＢサーバ４１に保存されている映像信号を読み出すことができる。
【００３４】
すなわち、前述の携帯端末３ａ、３ｂのように、玄関子機１からの呼び出しが報知された当該携帯端末からのＳＩＰ映像要求信号がＩＦ−ＢＯＸ４のＷＥＢサーバ４１にて受信された場合のみ、制御サーバ４２は、ＷＥＢサーバ４１に保存されている映像信号を読み出し、ＪＰＥＧ方式の映像信号に変換する信号処理を行う。この映像信号は、ルータ側ＢＯＸＩ／Ｆ４４、ＢＯＸ／ルータラインＬ3、ルータ５、携帯端末３ａ、３ｂの端末Ｉ／Ｆ３７を経由して端末映像処理部３４に送信されることになる。
【００３５】
携帯端末３ａ、３ｂの映像処理部３４は、ＩＦ−ＢＯＸ４からルータ５を経由して送信されてきたＪＰＥＧ方式の映像信号を出画用のフォーマットに信号処理することにより、玄関子機１のカメラ１１にて撮像された映像信号を端末モニタ３１に出画させることができる。なお、この出画映像としては、前述のＳＩＰ映像要求信号の送信タイミングが、定期的なタイミング、例えば、１秒毎のタイミングであるため、携帯端末３ａ、３ｂ、３ｃの個体差に基づき映像処理部３４が有する映像処理の能力が異なる場合であっても、当該携帯端末に負荷をかけることなく、端末モニタ３１への映像信号の出画が可能となる。
【００３６】
一方、ＩＦ−ＢＯＸ４の制御サーバ４２を構成する第１の記憶回路４２ａに予め記憶されていないアドレスを有する携帯端末３ｃやＰＣ端末６（図１を参照。）からの映像要求信号がルータ５を経由して送信されてきた場合には、当該アドレスが一致しないため、これを検出した制御サーバ４２は、ＷＥＢサーバ４１から映像信号を読み出すことはなく、エラー表示画面データ信号を生成し、ルータ５を経由して携帯端末３ｃ及びＰＣ端末６に送信する。これにより、玄関子機１のカメラ１１にて撮像された映像信号が携帯端末３ｃの端末モニタ３１やＰＣ端末６のモニタに出画されることがなく、エラー画面のみが出画されるため、予め設定された所定の携帯端末以外の当該端末による映像信号の不正な取得を防止することができる。具体的には、ＰＣ端末６を経由したウィルス感染による映像信号の不正な取得を防止することができる。
【００３７】
次に、前述のような玄関子機１からの呼び出しがあることの呼出報知が、カメラ１１にて撮像された映像信号の親機モニタ２１、端末モニタ３１への出画と併せて行われている居室親機２及び携帯端末３ａ、３ｂのうち、例えば、住戸内に在室中の居住者が携帯端末３ａの端末操作部３０を使用して所定の応答操作を行うと、この操作を検出した端末制御部３６は、ＳＩＰ応答信号を生成し、前述のＳＩＰ呼出信号と同様な信号伝送路を経由してＩＦ−ＢＯＸ４の制御サーバ４２に送信する。
【００３８】
ＩＦ−ＢＯＸ４の制御サーバ４２は、携帯端末３ａからルータ５を経由して送信されてきたＳＩＰ応答信号をインターホン用の他端末応答要求信号に変換し、前述の呼出信号と逆の信号伝送路を経由して居室親機２及び玄関子機１に送信する。
【００３９】
ここで、玄関子機１は、ＩＦ−ＢＯＸ４から居室親機２を経由して送信されてきた他端末応答要求信号を受信すると、来訪者によって使用される子機マイク１２及び子機スピーカ１３と子機／親機ラインＬ1との間の信号伝送路を形成することができる。一方、居室親機２は、ＩＦ−ＢＯＸ４からの他端末応答要求信号を検出すると、親機マイク２２及び親機スピーカ２３を使用せず、子機／親機ラインＬ1及び親機／ＢＯＸラインＬ2の間の信号伝送路を形成するとともに、他端末応答要求受付信号を生成し、前述の他端末応答要求信号を逆の信号伝送路を経由してＩＦ−ＢＯＸ４の制御サーバ４２に送信する。
【００４０】
ＩＦ−ＢＯＸ４の制御サーバ４２は、居室親機２からの端末応答要求受付信号をＳＩＰサーバ４０にてＳＩＰ端末応答要求受付信号に変換する信号処理を行う。このＳＩＰ端末応答要求受付信号は、（第２の記憶回路４２ｂから読み出された）携帯端末３ａを指定するためのアドレスが付加された後、前述のＳＩＰ呼出信号と同様な信号伝送路を経由して携帯端末３ａ、３ｂ、３ｃの端末制御部３６に送信される。
【００４１】
携帯端末３ａ、３ｂ、３ｃの端末制御部３６は、ＩＦ−ＢＯＸ４からルータ５を経由して送信されてきたＳＩＰ端末応答要求受付信号を受信すると、このＳＩＰ端末応答要求受付信号に付加されているアドレスと自端末に予め割り当てられているアドレスとを比較し、当該アドレスが一致した場合にのみ端末音声処理部３５を制御することにより、居住者によって使用される端末マイク３２及び端末スピーカ３３と当該端末音声処理部を経由して端末Ｉ／Ｆ３７との間の信号伝送路が形成される。
【００４２】
すなわち、当該実施例においては、玄関子機１の子機マイク１２から子機／親機ラインＬ1、居室親機２、親機／ＢＯＸラインＬ2、ＩＦ−ＢＯＸ４の親機側ＢＯＸＩ／Ｆ４３、制御サーバ４２、ルータ側ＢＯＸＩ／Ｆ４４、ＢＯＸ／ルータラインＬ3、ルータ５、携帯端末３ａの端末Ｉ／Ｆ３７、端末音声処理部３５を経由して端末スピーカ３３までの信号伝送路と、携帯端末３ａの端末マイク３２から端末音声処理部３５、端末Ｉ／Ｆ３７、ルータ５、ＢＯＸ／ルータラインＬ3、ＩＦ−ＢＯＸ４のルータ側ＢＯＸＩ／Ｆ４４、制御サーバ４２、親機側ＢＯＸＩ／Ｆ４３、親機／ＢＯＸラインＬ2、居室親機２、子機／親機ラインＬ1を経由して玄関子機１の子機スピーカ１３までの信号伝送路とがそれぞれ形成され、形成された信号伝送路を経由して音声（送話音声、受話音声）信号を送受信させることにより通話が成立する。なお、ＩＦ−ＢＯＸ４とルータ５を経由して携帯端末３ａとの間で送受信される音声（送話音声、受話音声）信号は、ＳＩＰサーバ４０又は端末制御部３６にて変換されたＳＩＰ信号の信号形式である。
【００４３】
次に、前述の通話の成立時（通話中）において、例えば、住戸内に在室中の居住者が携帯端末３ａの端末操作部３０を使用して所定の終話操作を行うと、この操作を検出した端末制御部３６は、ＳＩＰ終話信号を生成し、前述のＳＩＰ応答信号と同様な信号伝送路を経由してＩＦ−ＢＯＸ４の制御サーバ４２に送信するとともに、端末音声処理部３５を制御することにより、居住者によって使用される端末マイク３２及び端末スピーカ３３と当該端末音声処理部を経由して端末Ｉ／Ｆ３７との間の信号伝送路を遮断する。
【００４４】
ＩＦ−ＢＯＸ４の制御サーバ４２は、携帯端末３ａからルータ５を経由して送信されてきたＳＩＰ終話信号をインターホン用の他端末終話信号に変換し、前述の他端末応答要求信号と同様な信号伝送路を経由して居室親機２及び玄関子機１に送信する。
【００４５】
ここで、玄関子機１は、ＩＦ−ＢＯＸ４から居室親機２を経由して送信されてきた他端末終話信号を受信すると、来訪者によって使用される子機マイク１２及び子機スピーカ１３と子機／親機ラインＬ1との間の信号伝送路を遮断することができる。一方、居室親機２は、ＩＦ−ＢＯＸ４から居室親機２を経由して送信されてきた他端末終話信号を受信すると、子機／親機ラインＬ1及び親機／ＢＯＸラインＬ2の間の信号伝送路を遮断することができ、ゆえに、来訪者と携帯端末３ａを携行する居住者との間の通話が終了する。
【００４６】
次に、前述のような玄関子機１からの呼び出しがあることの呼出報知が、カメラ１１にて撮像された映像信号の端末モニタ３１への出画と併せて行われている携帯端末３ａにおいて、端末操作部３０の使用により所定の終話操作が行われ、前述のＳＩＰ終話信号を受信したＩＦ−ＢＯＸ４の制御サーバ４２、或いは、第１の計時回路４２ｄによる例えば、３分のタイムアップを検出した制御サーバ４２は、第１の消去回路４２ｆを制御し、第２の記憶回路４２ｂに記憶されたアドレスを消去することができる。これにより、終話操作や通話時間のタイムアップ等で映像要求の期限を過ぎた携帯端末３ａへの映像信号の送信を防止することができる。
【００４７】
また、ＩＦ−ＢＯＸ４の制御サーバ４２は、第２の計時回路４２ｂによる例えば、１０秒のタイムアップの検出前において、携帯端末３ａからルータ５を経由して送信されてくる映像要求信号がＷＥＢサーバ４２にて受信されなかったとき、第２の消去回路４２ｇを制御し、第２の記憶回路４２ｂに記憶されたアドレスを消去することができる。これにより、呼出中や通話中において何らかの事由でデータ通信が途絶えた携帯端末３ａへの映像信号の送信を防止することができる。
【００４８】
本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【００４９】
具体的に、本発明の実施例によれば、ＩＦ−ＢＯＸ４の構成として、第１、第２の各記憶回路４２ａ、４２ｂ及び第１、第２の各計時回路４２ｄを制御サーバ４２の回路内に備える態様について説明したが、この態様に限定されるものではない。例えば、制御サーバ４２から独立させてＩＦ−ＢＯＸ４内に備えることもできる。
【符号の説明】
【００５０】
１……玄関子機
１１……カメラ
２……居室親機
３ａ、３ｂ、３ｃ……携帯端末
３１……端末モニタ
３６ａ……アドレス送信回路（アドレス送信手段）
３６ｂ……映像要求回路（映像要求手段）
４……ＩＦ−ＢＯＸ
４０……ＳＩＰサーバ
４１……ＷＥＢサーバ
４２……制御サーバ
４２ａ……第１の記憶回路（第１の記憶手段）
４２ｂ……第２の記憶回路（第２の記憶手段）
４２ｃ……映像送信回路（映像送信手段）
４２ｄ……第１の計時回路（第１の計時手段）
４２ｅ……第２の計時回路（第２の計時手段）
４２ｆ……第１の消去回路（第１の消去手段）
４２ｇ……第２の消去回路（第２の消去手段）
【図１】
0005503269.tif 000002
【図２】
0005503269.tif 000003
【図３】
0005503269.tif 000004